(57)【要約】  光源（３０２）及び／又は光学要素が第１光状態に関連付けられる第１カバー状態で隠される照明装置（３００ｂ）について開示している。これは、第１カバー状態において目立たない照明装置を可能にする。照明システムが適切に機能することができるように、光源により生成される熱又は光束によりもたらされる第２光状態に関連付けられた第２カバー状態において、光学要素（３０４）、例えば、シャッタ又はビーム整形要素が切り換えられる。
2012509563.tif 000002
【特許請求の範囲】
【請求項１】
光路に沿って可視光ビームを発する発光ダイオードであって、該発光ダイオードは第１光状態と第２光状態との間で切り換え可能であり、前記発光ダイオードは、前記第１光状態において第１強度にある前記可視光ビームを発し、そして前記第２光状態において第２強度にある前記可視光ビームを発するように備えられ、前記第２強度は前記第１強度より高い、発光ダイオード、及び
前記光路内に少なくとも一部が備えられたカバー要素であって、該カバー要素は第１カバー状態と第２カバー状態との間で切り換え可能である、カバー要素、
を有する照明装置であって、
前記カバー要素は、前記第２光状態にある前記発光ダイオードを表すパラメータを検出するように備えられた検出器を有し、前記カバー要素は、前記パラメータを検出する前記検出器に応答して前記第１カバー状態から前記第２カバー状態に切り換わるように備えられている、
照明装置。
【請求項２】
前記発光ダイオードはヒートシンクを有し、
前記パラメータは前記ヒートシンクの温度変化に関し、
前記検出器は前記ヒートシンクに動作可能に接続されている、
請求項１に記載の照明装置。
【請求項３】
前記パラメータは、前記発光ダイオードにより発せられた光束に関し、
前記検出器は、前記光束を検出するように備えられた光センサを有する、
請求項１又は２に記載の照明装置。
【請求項４】
前記検出器は前記カバー要素と一体化されている、
請求項１又は２に記載の照明装置。
【請求項５】
前記発光ダイオードは発光ダイオードパッケージを有し、
前記カバー要素は前記発光ダイオードパッケージに取り付けられている、
請求項１乃至４の何れか一項に記載の照明装置。
【請求項６】
前記第２強度は前記第１強度に比べて少なくとも一桁大きさが大きい、
請求項１乃至５の何れか一項に記載の照明装置。
【請求項７】
前記カバー要素は前記発せられた可視光ビームをコリメートするように備えられている、
請求項１乃至６の何れか一項に記載の照明装置。
【請求項８】
前記カバー要素は、前記第１カバー状態から前記第２カバー状態に前記カバー要素を切り換えるように備えられた機械式要素を有し、
前記機械式要素は少なくとも１つのシャッタを有する、
請求項１乃至７の何れか一項に記載の照明装置。
【請求項９】
前記機械式要素はリフレクタを有し、前記リフレクタは、サーモクロミックリフレクタ及びフォトクロミックリフレクタの一であり、
前記リフレクタは、前記発せられた光ビームが前記リフレクタにより反射されるときに、前記発せられた光ビームの色及び偏光の少なくとも一を変えるように備えられている、
請求項８に記載の照明装置。
【請求項１０】
前記カバー要素は、前記第１カバー状態から前記第２カバー状態に前記カバー要素を切り換えるように備えられた光学要素を有する、
請求項１乃至９の何れか一項に記載の照明装置。
【請求項１１】
前記光学要素は、前記発せられた可視光ビームをコリメートするように備えられたレンズを構成するように更に備えられている、
請求項１０に記載の照明装置。
【請求項１２】
前記光学要素は蛍光体粒子を有し、
前記蛍光体粒子は、前記発せられた光ビームが前記光学要素を通るときに、前記発せられた光ビームの色及び偏光の少なくとも一を変えるように備えられている、
請求項１０又は１１に記載の照明装置。
【請求項１３】
照明装置における方法であって、前記照明装置は、
光路に沿って可視光ビームを発する発光ダイオードであって、該発光ダイオードは第１光状態と第２光状態との間で切り換え可能であり、前記発光ダイオードは、前記第１光状態において第１強度にある前記可視光ビームを発し、そして前記第２光状態において第２強度にある前記可視光ビームを発するように備えられ、前記第２強度は前記第１強度より高い、発光ダイオードと、
前記光路内に少なくとも一部が備えられたカバー要素であって、該カバー要素は第１カバー状態と第２カバー状態との間で切り換え可能である、カバー要素と、
を有する、方法であり、
前記第１光状態から前記第２光状態に前記発光ダイオードを切り換える段階と、
前記第２強度で前記発光ダイオードにより前記可視光ビームを発する段階と、
前記カバー要素の検出器によりパラメータを検出する段階であって、前記パラメータは、前記第２光状態にある前記発光ダイオードを表す、段階と、
前記検出されたパラメータに応答して前記第１カバー状態から前記第２カバー状態に前記カバー要素を切り換える段階と、
を有する方法。
【請求項１４】
前記発光ダイオードのヒートシンクから前記パラメータを検出する段階であって、前記パラメータは、前記ヒートシンクの温度変化に関する、段階、
を有する、請求項１３に記載の方法。
【請求項１５】
請求項１乃至１２の何れか一項に記載の照明装置を有する照明器具。
【発明の詳細な説明】
【技術分野】
【０００１】
本発明は、光システムの分野に関し、特に、発光ダイオード及びカバー要素を有する照明装置に関する。本発明はまた、それらの方法に関する。
【背景技術】
【０００２】
できるだけ目立たないように照明を一体化する要求が高まってきている。このことは、建築家及びインテリアデザイナーが、一つのビルを他のビルから明確に区別するインテリアスタイルを創り出すことを可能にする。
【０００３】
そのような環境のために適する照明装置は典型的には、光源及び光減衰装置を有する。そのような照明装置は従来、光減衰装置を動作させるように外部制御信号を用いている。光減衰装置は典型的には、機械式シャッタであり、故に、アパーチャを通るランプからの光の通過を遮るように又はアパーチャを通る光の通過を可能にするように、照明装置のハウジングのアパーチャと光源との間の光路内に位置付けられる。
【０００４】
米国特許第４，５１３，３５８号明細書は、ライトバルブの抵抗加熱又は直接的な加熱に依存してシャッタが切り換えられる切り換え可能なシャッタを有する光システムについて開示している。そのシステムは、ライトバルブの形式の発光要素と、ルーバの形式のカバーとを有する。ルーバは、ランプが起動されたときに、ライトバルブの抵抗加熱又は直接的な加熱により加熱されるアクチュエータにより制御される。加熱時に、アクチュエータは、開状態の位置にルーバを旋回する役割を果たす。一旦、ランプが動作停止にされると、アクチュエータの加熱は終了され、ルーバは、アクチュエータが冷えるにつれて、スプリングによりレンズを保護するように、自動的に閉じられる。米国特許第４，５１３，３５８号明細書は、このようにして、アクチュエータのスイッチのルーバを閉状態から開状態にするように、赤外線加熱を用いる光システムを開示している。
【０００５】
照明装置が備えられている空間の見栄えを損なわない照明装置に対する要請が存在している。
【０００６】
故に、改善された目立たない照明装置についての要請が存在している。
【先行技術文献】
【特許文献】
【０００７】
【特許文献１】米国特許第４，５１３，３５８号明細書
【発明の概要】
【発明が解決しようとする課題】
【０００８】
本発明の複数の目的の１つは、フレキシブルに用いられ、高品質の光学的印象を与える高い機能多様性を有する照明装置をもたらすことである。好適には、その照明装置は、その照明装置の光源により発せられた光を減衰するための高信頼性を有し、簡便であるカバー要素を有する必要がある。
【課題を解決するための手段】
【０００９】
好適には、カバー要素は、光源が可視光ビームを発することを自動的に検出するように備えられる必要がある。本発明は、従って、発光要素及びカバー要素を有する改善された照明装置であって、カバー要素は、照明装置が用いられないときに発光要素を保護する、覆う及び／又は隠すように自動的に閉状態にされ、そしてカバー要素は、照明装置が起動されるときに発光要素の光ビームが少なくとも一部が通ることを可能にするように自動的に開状態にされる、照明装置を提供することが可能である。
【００１０】
米国特許第４，５１３，３５８号明細書に従った解決方法においては、ライトバルブと組み合わされている複数の発光ダイオード（ＬＥＤ）は赤外線放射を殆ど生成しない又は無視できる程の赤外線さえ放射生成しないため、それらのＬＥＤに基づく照明システムのためには機能しないことが判明している。
【００１１】
従って、第１の特徴に従って、光路に沿って可視光ビームを発する発光ダイオードであって、その発光ダイオードは第１光状態と第２光状態との間で切り換え可能であり、発光ダイオードは、第１光状態で第１強度にある可視光ビームを発し、第２光状態で第２強度にある可視光ビームを発するように備えられ、第２強度は第１強度より高い、発光ダイオードと；光路内に少なくとも一部が備えられたカバー要素であって、そのカバー要素は第１カバー状態と第２カバー状態との間で切り換え可能であり、カバー要素は、第２光状態にある発光ダイオードを表すパラメータを検出するように備えられ、カバー要素は、パラメータを検出する検出器に応答して第１カバー状態から第２カバー状態に切り換わるように備えられた、カバー要素と；を有する照明装置を提供する。
【００１２】
第２強度は、第１強度より少なくとも一桁大きい値であることが可能である。実施形態に従って、第１強度は、光が発せられないことに対応している。
【００１３】
表現“可視光ビーム”は、可視光を有し、実質的に赤外線放射のない光ビームに関する。表現“実質的に赤外線放射のない”は、これに関連して、赤外光を発して可視光を発しない発光要素と対照的に、可視光を発する発光要素のことをいう。従って、表現“実質的に赤外線放射のない”は、本明細書においては、殆ど直接的に赤外線放射を発しない又は直接的に殆ど無視できる程度の赤外線放射しか発しない発光要素として解釈される必要がある。しかしながら、間接的には、発光要素において生成された熱のために生成される赤外光が尚も存在し得る。しかしながら、これは、利用可能である赤外線放射がかなり存在することにより、ライトバルブはフィラメントから赤外光及び可視光の両方を発するために、特に白熱ライトバルブとは異なる。
【００１４】
従って、カバー要素は、第１強度から第２強度への可視光ビームの強度増加を検出する検出器に応答して、第１カバー状態から第２カバー状態に切り換えるように備えられることが可能である。
【００１５】
第１カバー状態は第２カバー状態と異なる。更に、第１カバー状態は第１光学状態であることが可能であり、第２カバー状態は第２光学状態であることが可能である。実施形態に従って、第１カバー状態は、カバー要素が閉状態であるように備えられ、発せられた可視光ビームがカバー要素を少なくとも一部が通ることを可能にしないようにカバー要素が備えられた、第１光学状態であることが可能であり；第２カバー状態は、カバー要素が開状態であるように備えられ、発せられた可視光ビームがカバー要素を少なくとも一部が通り、それにより、照明装置から発せられるようにカバー要素が備えられる、第２光学状態であることが可能である。即ち、カバー要素は、第１カバー状態で閉状態であり、第２カバー状態で開状態であるように備えられることが可能である。
【００１６】
実施形態に従って、第１カバー状態は、カバー要素が閉状態であるように備えられ、発せられる可視光ビームが照明装置から少なくとも一部が発せられないようにカバー要素が備えられた、第１機械的状態であることが可能であり；第２カバー状態は、カバー要素が開状態であるように備えられ、発せられた可視光ビームが照明装置から少なくとも一部が発せられるようにカバー要素が備えられた、第２機械的状態であることが可能である。
【００１７】
カバー要素の目的は、発光ダイオードの少なくとも一部を保護するようにすることである。カバー要素の目的は、特に発光ダイオードが第１状態にあるときに、発光ダイオードの少なくとも一部を保護するようにすることである。
【００１８】
カバー要素の目的は、照明装置から発せられるように、発光ダイオードにより発せられる光を少なくとも一部を遮るようにすることである。従って、カバー要素は、第１カバー状態で十分に閉状態になるように備えられることが可能である。しかしながら、カバー要素は、第１カバー状態においても少なくとも一部が開状態であることも可能である。従って、カバー要素は、第１強度レベルにある光が第１カバー状態において発せられるようにする、少なくとも一部が開状態であることが可能であり、そしてカバー要素は、第２強度レベルにある光が第２カバー状態で発せられるようにする、少なくとも一部が開状態であることが可能であり、ここで、第２強度レベルは第１強度レベルより高い。しかしながら、簡単化のために及び一般化を損なわないために、本明細書を通して、カバー要素は、第１カバー状態において閉状態にあり、第２カバー状態において開状態にあると記載されている。
【００１９】
実施形態に従って、第１光状態は、第１光学状態及び／又は第１機械的状態と関連付けられることが可能であり、第２光状態は、第２光学状態及び／又は第２機械的状態と関連付けられることが可能である。
【００２０】
パラメータは、発光ダイオードにより発せられる光束、発光ダイオードのヒートシンクの温度変化及び発光ダイオード自体の群からの少なくとも１つの特性に関するものである。
【００２１】
発光ダイオードはヒートシンクを有することが可能である。パラメータは、ヒートシンクの温度変化に関することが可能である。検出器は、ヒートシンクに動作可能に接続されることが可能である。従って、有利点は、照明に必要なエレクトロニクスの必要性が低減されることである。温度変化は、照明装置がオンに切り換えられるときに、自動的に行われる。
【００２２】
パラメータは、発光ダイオードにより発せられる光束に関するものであることが可能である。検出器は、光束を検出するように備えられた光センサを有することが可能である。従って、有利点は、光が生成されるときに、及び、問題又は故障が光ではなく熱を生成する光源における問題又は故障が存在するときに、カバー要素が発光ダイオードのみに応答することが可能であることである。
【００２３】
検出器は、カバー要素と一体化されることが可能である。従って、有利点は、バイメタルがヒートシンクにより加熱されることが可能であり、それにより、カバー要素の状態が切り換わるようにすることである。
【００２４】
発光ダイオードは、発光ダイオードパッケージを有することが可能である。カバー要素は、発光ダイオードパッケージ又は発光ダイオードパッケージの一部に取り付けられることが可能である。カバー要素は、従って、発光要素に取り付けられることが可能である。発光ダイオード（ＬＥＤ）パッケージとは、ＬＥＤダイを取り囲む構造であることを意味する。ＬＥＤは典型的には、ＬＥＤパッケージにより取り囲まれ且つＬＥＤパッケージに搭載されたＬＥＤダイを有する。ＬＥＤパッケージ及びＬＥＤダイは単独のプロダクトとして供給されることが可能である。従って、その有利点は、カバー要素が発光ダイオードと一体化されることが可能であることである。ＬＥＤパッケージ、ＬＥＤダイ及びカバー要素は単独のプロダクトとして供給されることが可能である。更なるその有利点は、カバー要素が光源（即ち、発光ダイオード）に対してできるだけ近接して位置付けられることが可能であることである。そのカバー要素は、個別のカバー要素に比べて小さい（及び製造コストが安い）ことである。一体化されたカバー要素は、個別のカバー要素に比べて、パラメータに対する応答が速い。
【００２５】
カバー要素は、発せられる可視光ビームをコリメートするように備えられることが可能である。従って、その有利点は、発せられる光の強度が高くなるときに、可視光ビームがコリメートされることが可能であることである。従って、より多くの光が所望される又は必要なとき、提供されるコリメートされたビームは更に、光強度を高くする役割を果たす。類似して、光強度が低いとき、照明はあまりコリメートされないことが可能であり、より多くの装飾的な機能を提供することが可能である。
【００２６】
カバー要素は、第１カバー状態から第２カバー状態にカバー要素を切り換えるように備えられた機械式要素を有することが可能である。機械式要素は少なくとも１つのシャッタを有することが可能である。従って、その有利点は、機械式要素が温度変化でうまく動作することが可能であることである。
【００２７】
少なくとも１つのシャッタは、発せられる可視光ビームをコリメートするように備えられたファンネルを構成するように備えられることが可能である。
【００２８】
カバー要素は、第１カバー状態から第２カバー状態にカバー要素を切り換えるように備えられた光学要素を有することが可能である。従って、その有利点は、光学要素が機械的な移動を伴わないで照明効果を達成することができることである。従って、照明装置は、その照明装置が第２光状態にあるときでさえ、多かれ少なかれ隠されることが可能である。
【００２９】
光学要素は、第２カバー状態において発せられる可視光ビームをコリメートするように備えられた少なくとも２つの散乱状態間で切り換えられることが可能である。
【００３０】
光学要素は、発せられる可視光ビームをコリメートするように備えられたレンズを構成するように備えられることが可能である。
【００３１】
機械式要素はリフレクタを有することが可能であり、リフレクタは、サーモクロミックリフレクタ又はフォトクロミックリフレクタの一であることが可能である。リフレクタは、発せられた光がリフレクタにおいて反射されるときに、その発せられた光の色及び偏光の少なくとも一を変えるように備えられることが可能である。
【００３２】
光学要素は蛍光体粒子を有することが可能である。蛍光体粒子は、発せられた光ビームが光学要素を通るときに、その発せられた光ビームの色及び偏光の少なくとも一を変えるように備えられることが可能である。従って、その有利点は、照明システムの色が、出力される光に依存して変わることが可能であることである。
【００３３】
検出器は、第２光状態から第１光状態に切り換わる発光ダイオードを表すパラメータを検出するように備えられることが可能であり、カバー要素は、パラメータを検出する検出器に応答して、第１カバー状態から第２カバー状態に切り換わるように備えられることが可能である。即ち、検出器は、発光ダイオードがオフに切り換えられたことも検出するように備えられることが可能である。従って、その有利点は、発光ダイオードがもはや、オンに切り換えられないときに、その発光ダイオードがカバー要素により保護されることが可能であることである。その有利点は、発光ダイオードがもはや、オンに切り換えられないときに、その発光ダイオードがカバー要素により隠されることである。
【００３４】
第２の特徴に従って、上記に従った照明装置を有する照明器具が提供される。
【００３５】
第３の特徴に従って、照明装置における方法であって、照明装置は、光路に沿って可視光ビームを発する発光ダイオードを有し、発光ダイオードは、第１光状態と第２光状態との間で切り換え可能であり、発光ダイオードは、第１光状態において第１強度にある可視光ビームを発し、第２光状態において第２強度にある可視光ビームを発するように備えられ、第２強度は第１強度より高く、カバー要素は少なくとも一部が光路内に備えられ、カバー要素は第１カバー状態と第２カバー状態との間で切り換え可能であり、当該方法は、第１光状態から第２光状態に発光ダイオードを切り換える段階と、第２強度において発光ダイオードにより可視光ビームを発する段階と、カバー要素の検出器によりパラメータを検出する段階であって、パラメータは第２光状態にある発光ダイオードを表す、段階と、検出されたパラメータに応答して第１カバー状態から第２カバー状態にカバー要素を切り換える段階とを有する、方法を提供する。
【００３６】
その方法は、発光ダイオードのヒートシンクからパラメータを検出する段階を更に有することが可能である。そのパラメータは、ヒートシンクの温度変化に関するものであることが可能である。
【００３７】
その方法は、発光ダイオードにより発せられた光からパラメータを検出する段階を更に有することが可能である。そのパラメータは、発せられた可視光ビームの光束に関するものであることが可能である。
【００３８】
発光要素の光路内に備えられるように適合されたカバー要素であって、そのカバー要素は、発光要素のパラメータを検出するように備えられた検出器と、第１カバー状態と第２カバー状態との間でカバー要素を切り換えるように備えられたスイッチであって、そのスイッチは、パラメータを検出する検出器に応答して第１カバー状態から第２カバー状態にカバー要素を切り換えるように備えられている、スイッチとを有する、カバー要素が提供される。
【００３９】
カバー要素は、第１カバー状態において閉状態にあり、第２カバー状態において開状態にあるように備えられることが可能である。
【００４０】
パラメータは、発光ダイオードにより発せられる光束、発光ダイオードのヒートシンクの温度変化及び発光ダイオード自体の群からの少なくとも１つの特性に関するものであることが可能である。
【００４１】
第１の特徴、第２の特徴及び第３の特徴に関連して上記している照明装置は、従って、複雑な回路又はスイッチングを伴わずに、カバー要素の自動的な動作を可能にし、その照明装置は、カバー要素が閉状態のときに、発光ダイオードの優れた保護を提供することが可能であり、その照明装置は、カバー要素が開状態のときに、発光ダイオードに対してオブジェクトの影響に対するある程度の保護をも提供することが可能である。更に、カバー要素は可視光に対して応答することが可能である。カバー要素は、発光ダイオードに接続されたヒートシンクの温度に対して応答することが可能である。一般に、第２の特徴及び第３の特徴は、第１の特徴と同じ有利点を有する。
【００４２】
本発明の上記の及び他の特徴については、以下に詳述している実施形態を参照することにより明らかになり、理解することができる。
【００４３】
一般に、請求項に記載している用語全ては、明白に定義されていない場合には、当該技術分野におけるそれらの用語の一般の意味に従って解釈される必要がある。要素、装置、構成要素、手段、ステップ等の単数表現全ては、明白に定義されていない場合には、それらの要素、装置、構成要素、手段、ステップ等の少なくとも１つの例を記載しているとしてそのままに解釈される必要がある。本明細書において開示している何れかの方法のステップは、明白に記載していない場合に、開示されているそのままの順序で実行される必要はない。
【００４４】
本発明の他の特徴及び有利点については、添付図を参照する、現在好適な実施形態についての以下の詳述により理解することができる。
【図面の簡単な説明】
【００４５】
【図１ａ】本発明の実施形態に従って発光要素を示す図である。
【図１ｂ】本発明の実施形態に従って発光要素を示す図である。
【図１ｃ】本発明の実施形態に従って発光要素を示す図である。
【図１ｄ】本発明の実施形態に従って発光要素を示す図である。
【図１ｅ】本発明の実施形態に従って発光要素を示す図である。
【図１ｆ】本発明の実施形態に従って発光要素を示す図である。
【図２ａ】本発明の実施形態に従った照明装置を示す図である。
【図２ｂ】本発明の実施形態に従った照明装置を示す図である。
【図２ｃ】本発明の実施形態に従った照明装置を示す図である。
【図２ｄ】本発明の実施形態に従った照明装置を示す図である。
【図２ｅ】本発明の実施形態に従った照明装置を示す図である。
【図２ｆ】本発明の実施形態に従った照明装置を示す図である。
【図２ｇ】本発明の実施形態に従った照明装置を示す図である。
【図２ｈ】本発明の実施形態に従った照明装置を示す図である。
【図２ｉ】本発明の実施形態に従った照明装置を示す図である。
【図２ｊ】本発明の実施形態に従った照明装置を示す図である。
【図２ｋ】本発明の実施形態に従った照明装置を示す図である。
【図３ａ】本発明の実施形態に従った照明装置を示す図である。
【図３ｂ】本発明の実施形態に従った照明装置を示す図である。
【図４ａ】本発明に従った方法についてのフローチャートである。
【図４ｂ】本発明に従った方法についてのフローチャートである。
【発明を実施するための形態】
【００４６】
本発明の特定の実施形態を示す添付図を参照して以下に、本発明について詳述する。しかしながら、本発明は、多くの異なる形態で実施されることが可能であり、本明細書で説明する実施形態に限定されるとみなされるべきでなく、むしろ、それらの実施形態は、本明細書が本発明の範囲について当業者に説明するように、例示として提供されている。同じ参照番号は一貫して同じ要素を表している。
【００４７】
図１ａは、実施形態に従った発光要素１００ａを示している。発光要素１００ａは、本体１０２と、光源１０４とを有する。本体１０２は、照明装置において発光要素１００ａを配置する手段を提供するように配置されることが可能である。発光要素はヒートシンク１０６を更に有する。発光要素は、１つ又はそれ以上の電気的コンタクト１０７ａ、１０７ｂを更に有する。発光要素１００ａは、第１光状態と第２光状態との間で切り換え可能であり、発光要素は、第１光状態の第１強度で可視光ビームを発し、第２光状態の第２強度で可視光ビームを発するように備えられ、第２強度は第１強度より高い。第２強度は、前記第１強度より大きさが少なくとも一桁大きい。第１強度は、発光される光がないことに対応し得る。
【００４８】
発光要素１００ａは固体光源であることが可能である。発光要素１００ａは、発光ダイオード（ＬＥＤ）、有機ＬＥＤ（ＯＬＥＤ）又は高分子ＬＥＤ（ｐｏｌｙＬＥＤ）であることが可能である。ＬＥＤ、ＯＬＥＤ又はｐｏｌｙＬＥＤ等の固体光源は、ライトバルブ等の従来の光源に対して複数の有利点を提供することが可能である。１つの有利点は長い寿命である。１つの有利点は低い動作電圧である。１つの有利点は小さい形状因子である（故に、設計の自由度を提供する）。１つの有利点は、固体光源が略純粋なスペクトルの色を発することである。１つの有利点はルーメン出力の高速変調であることである。１つの有利点は、第１光状態と第２光状態との間の高速切り換えである。１つの有利点は、赤外光又は紫外光があまり放射されないことである。ＬＥＤに基づく照明装置は、例えば、照明装置の設計者に照明装置の形状を選択する、より高い自由度を与えることが可能である。従って、ＬＥＤに基づく照明装置は、その照明装置が備えられている空間の視覚的外観を損なうことなく、光の効果を生成するときに、より快適であり得る。
【００４９】
ＬＥＤはＬＥＤパッケージを有する。ＬＥＤパッケージとは、ＬＥＤダイを取り囲む構造のことをいう。ＬＥＤは典型的には、ＬＥＤパッケージにより囲まれ、ＬＥＤパッケージに対して備えられたＬＥＤダイを有する。
【００５０】
図１ｂは、実施形態に従った図１ａの発光要素１００ａと類似する発光要素１００ｂを示している。図１ｂの例示としての実施例においては、発光要素は第２光状態にあり、故に、参照番号１０８で関係付けられる矢印で示されている第２強度で可視光ビームを発し、それらの矢印は光経路を表し、楕円１０８は光ビームを表す。従って、この図及び以下の全ての図において、第２光状態と例示として関連付けられる発光要素は、その発光要素の第２強度にある、発せられた可視光ビームを示す矢印を伴って示される。
【００５１】
図１ｃは、実施形態に従った図１ａの発光要素１００ａ及び図１ｂの発光要素１００ｂと類似する発光要素１００ｃを示している。図１ｃの例示としての実施例においては、発光要素１００は第１光状態にある。発光要素１００ｃはカバー要素１１０ａを更に有する。実施形態に従って、カバー要素１１０ａは光源１００ａを完全にカバーしている。換言すれば、実施形態に従って、カバー要素は、光源の光経路内に完全に備えられている。
【００５２】
カバー要素１１０ａは第１カバー状態と第２カバー状態との間で切り換え可能であり、カバー要素は、第１カバー状態において閉状態にあり、第２光状態において開状態にあるように備えられている。カバー要素は、第１光状態から第２光状態に、及び第２光状態から第２光状態に切り換える発光要素の光源を表すパラメータを検出するように備えられた検出器を有する。カバー要素は、そのパラメータを検出する検出器に応答して、第１カバー状態から第２カバー状態に切り換えるように備えられている。従って、光源１０４が第１光状態から第２光状態に切り換えられるとき、カバー要素１１０ａは第１カバー状態から第２カバー状態に切り換わり、カバー要素は、第２強度にある発せられた光ビームを通すように、第２カバー状態で少なくとも一部を透過する。カバー要素は、特に、発光要素１０４のパラメータを検出することによりもたらされる、透過性の等方性位相への位相遷移を行うように備えられている散乱液晶（ＬＣ）層を有することが可能である。従って、カバー要素１１０ａは、第１カバー状態から第２カバー状態にカバー要素１１０ａを切り換えるように備えられている光学要素を有することが可能である。カバー要素は、低い強度で散乱光を生成するように部分的に透過性であることが可能である。カバー要素は、高い強度で指向性光を生成するように部分的に透過性であることが可能である。
【００５３】
図１ｄは、実施形態に従って、図１ａ乃至１ｃの発光要素１００ａ乃至１００ｃに類似する発光要素１００ｄを示している。図１ｄの例示としての実施例においては、発光要素１００ｄは第２光状態にある。発光要素１００ｄは、図１ｃのカバー要素１１０ａに類似するカバー要素１１０ｂを更に有する。従って、カバー要素１１０ｂは光源１０４を覆う。図１ｄの例示としての実施例においては、カバー要素１００ｂは、破線で示しているように、第２カバー状態にあり、それにより、破線矢印で示すように、光源１０４により発せられる第２強度にある光ビームがカバー要素１１０ｂを少なくとも一部が透過するようにする。
【００５４】
図１ｅは、実施形態に従って、図１ａ乃至１ｄの発光要素１００ａ乃至１００ｄに類似する発光要素１００ｅを示している。図１ｅの例示としての実施例においては、発光要素１００ｅは第１光状態にある。発光要素１００ｅはカバー要素１１０ｃを更に有する。従って、カバー要素１１０ｃは光源１０４を覆う。図１ｅの例示としての実施例においては、カバー要素１００ｃは第１カバー状態にある。カバー要素１１０ｃは、第１カバー状態と第２カバー状態との間でカバー要素１１０ｃを切り換えるように備えられた機械的要素を有することが可能である。その機械的要素は少なくとも１つのシャッタを更に有することが可能である。例えば、不透明な薄い二重膜又は形状記憶材料が、第１カバー状態で光源を覆うことが可能である。光源が第１状態から第２状態に切り換えられるとき、その薄い二重膜は光源から屈曲して、シャッタを開状態にするように備えられることが可能である。
【００５５】
図１ｆは、実施形態に従って、図１ａ乃至１ｅの発光要素１００ａ乃至１００ｄに類似する発光要素１００ｆを示している。図１ｆの例示としての実施例においては、発光要素１００ｆは第２光状態にある。更に、図１ｅのカバー要素１００ｃに類似するカバー要素１１０ｄは第２カバー状態にある。従って、カバー要素１１０ｄは、破線矢印で示しているように、光源１０４の第２強度にある光ビームが少なくとも一部を発せられるように備えられる。
【００５６】
図２ａは、実施形態に従って、照明装置２００ａを示している。照明装置の実施例は、１つ又はそれ以上の光ビームを発することによりある領域においてオブジェクトを照明する目的で、その領域に光を与えるように用いられる装置である。これに関連して、領域については広く解釈される必要がある。これに関連して、領域としては、典型的には、住居の部屋又はオフィスの部屋、体育館ホール、公共施設の部屋、又は通りの一部等の屋外の環境がある。照明装置２００ａは、上記の図１ａ及び図１ｂの発光要素１００ａ及び１００ｂの１つ又はそれ以上のような、１つ又はそれ以上の発光要素２０２ａ、２０２ｂ、２０２ｃを有する。代替として、発光要素２０２ａ、２０２ｂ、２０２ｃの１つ又はそれ以上は、図１ｃ乃至１ｆを参照して上で開示している発光要素１００ｃ乃至１００ｆに類似していることが可能である。照明装置２００ａは共通カバー要素２０４を更に有する。共通カバー要素２０４は、図１ｃ乃至１ｆのカバー要素１１０ａ乃至１１０ｄに類似するカバー要素であることが可能である。図２ａにおいては、１つの共通カバー要素２０４が、全ての発光要素２０２ａ乃至２０２ｃを同時に覆うように備えられている。対照的に、図１ｃ及び１ｄにおいては、個々のカバー要素１１０ａ乃至１１０ｄが個々の発光要素に関連付けられている。しかしながら、個々のカバー要素及び共通カバー要素は同じ目的で機能することが可能である。
【００５７】
図２ｂの照明装置２００ｂにおいては、発光要素２０２ａ乃至２０２ｃのような発光要素は共通カバー要素の背後に位置している。実施形態に従って、カバー要素２０４は、従って、光源２０２ａ乃至２０２ｃの少なくとも一部を覆うことが可能である。共通カバー要素は１つ又はそれ以上の光散乱要素を有することが可能である。発光要素が第１光状態から第２光状態に切り換えられるとき、散乱要素は、発せられた光ビームを表す矢印２０６ａ、２０６ｂ、２０６ｃを用いて示されているように、発光要素の第２強度にある光ビームを透過させるように、参照番号２０８ａ、２０８ｂ、２０８ｃで表されている光学要素で示されているように、透過性モードに切り換えるように備えられている。例えば、散乱要素は、少なくとも一部が透過性である等方相に相転移する１つ又はそれ以上の散乱液晶層を有することが可能である。第２カバー状態にある図１ｃ及び１ｄのカバー要素１１０ａ及び１１０ｂに類似して、その散乱要素は、低い強度の拡散光及び／又は高い強度の指向性光を生成するように、一部が透過性であることが可能である。カバー要素はまた、不透明であり、光源がオンに切り換えられるときに透過性状態に切り換え可能であることが可能である。例えば、分散された色素を有する切り換え可能ディフューザが用いられ、透過性状態において、色素を有する層における光線の光路長は分散状態におけるより短い。従って、光の吸収は、分散状態に比べて透過性状態においてかなり小さい。
【００５８】
図２ｃは、図１ａ及び１ｂの照明装置２００ａ及び２００ｂに類似する照明装置２００ｃの側面図である。照明装置２００ｃは、図２ａの発光要素２０２ａ乃至２０２ｃのような１つ又はそれ以上の発光要素２０９ａ、２０９ｂ、２０９ｃ及び共通カバー要素２１０を有する。共通カバー要素２１０は１つ又はそれ以上の個別のカバー要素２１１ａ、２１１ｂ、２１１ｃに関連付けられることが可能である。共通カバー要素は個別のカバー要素を支持することが可能である。個別のカバー要素の数は発光要素の数と等しいことが可能である。共通カバー要素２１０は、図２ｃにおいて参照番号２１２で表されているように、プレートに取り付けられることが可能である。個別のカバー要素２１１ａ乃至２１１ｃはプレート２１２に取り付けられることが可能である。プレート２１２は少なくとも一部が透過性材料を有することが可能である。
【００５９】
共通カバー要素及び／又は個別のカバー要素は、第１カバー状態から第２カバー状態に切り換えられるときに、レンズを構成するように備えられることが可能である。図２ｄは、第２カバー状態に配列された個別のカバー要素２１４ａ、２１４ｂ、２１４ｃを有する照明装置２００ｄを示している。図２ｄに示すように、カバー要素２１４ａ乃至２１４ｃは、レンズが構成されるように膨らんでいる。カバー要素は、１つ又はそれ以上の発光要素のパラメータを検出するときに、形状及び／又は形態を変えるように備えられることが可能である。従って、１つ又はそれ以上のレンズが、発光要素と自動的に位置合わせされるように備えられることが可能である。１つ又はそれ以上のレンズの材料及び／又は形状に依存して、１つ又はそれ以上のレンズは、従って、図２ｄに矢印２１６ａ、２１６ｂ、２１６ｃで示されている発せられた光ビームの散乱又はコリメーションを可能にする。共通カバー要素及び／又は個別のカバー要素は、ポリウレタンベースの材料等の形状記憶高分子から成ることが可能である。他のオプションは、光電流を介して充電又は除電されることが可能である電極を介して、発光要素の光束に依存して、第１カバー状態と第２カバー状態との間で切り換え可能である液晶レンズ又はエレクトロウェッティングレンズを用いることが可能である。
【００６０】
共通カバー要素はまた、１つ又はそれ以上の機械式カバー要素であることが可能である。図２ｅの照明装置２００ｅのカバー要素は機械式カバー要素２１８ａ、２１８ｂ、２１８ｃ、２１８ｄ、２１８ｅ、２１８ｆを有する。図２ｅの照明装置２００ｅにおいては、カバー要素２１８ａ乃至２１８ｆは、第１カバー状態から第２カバー状態に切り換えられるときに、光源から屈曲して離れ、それにより光ビームが発せられることを可能にするように備えられている。図２ｅにおいては、発せられた光ビームは矢印で示されている。特に屈曲された要素の形状に依存して、屈曲された要素は、図２ｅに示している矢印で示されている発せられた光のビームをコリメートする又は整形するように用いられることが可能である。
【００６１】
ビームシャッタを切り換えるために用いられる効果が、ビーム整形（コリメーション）又はビームステアリングのためにも適用されることが可能である。例えば、切り換え可能ディフューザは、異なる幅のビームを生成するように、異なる散乱状態間で切り換え可能である。その光も、開状態にある反射性ファンネルを構成する機械式シャッタによりコリメートされることが可能である。図２ｆは、機械式シャッタ２２０ａ、２２０ｂ、２２０ｃ、２２０ｄ、２２０ｆを有する照明装置２００ｆを示している。機械式シャッタ２２０ａ乃至２２０ｆは、第１カバー状態に関連付けられる閉状態と第２カバー状態に関連付けられる開状態との間で旋回するように備えられることが可能である。開状態においては、機械式シャッタ２２０ａ乃至２２０ｆは、それにより、反射性光ファンネルが構成されることを可能にする。発せられる第２強度の可視光ビームを受けるシャッタ２２０ａ乃至２２０ｆの側方は、ビームを整形する（コリメーティングファンネルにより）ように反射性であることが可能である。
【００６２】
発せられた第２強度の可視光ビームを所与の方向にステアリングするために用いられることが可能である。図２ｇは、機械式シャッタ２２２ａ、２２２ｂ、２２２ｃを有する照明装置２００ｇを示している。機械式シャッタ２２２ａ乃至２２２ｃは、第１カバー状態に関連付けられた閉状態と第２カバー状態に関連付けられた開状態との間で旋回するように備えられることが可能である。第２カバー状態においては、機械式シャッタ２２２ａ乃至２２２ｃは、従って、発せられた第２強度の可視光ビームを所与の方向にステアリングすることを可能にする。発せられた可視光ビームを受けるシャッタ２２２ａ乃至２２２ｆの側方は、非対称のリフレクタによりビームを方向付けるように反射性であることが可能である。図２ｈ及び図２ｉは、機械式シャッタ２２８ａ、２２８ｂ、２３０ａ、２３０ａを有する照明装置２００ｈ、２００ｉの更なる実施例を示している。機械式シャッタ２２８ａ、２２８ｂ、２３０ａ、２３０ａは、図２ｈにおけるような第１カバー状態に関連付けられた閉状態と、図２ｉに示すような第２カバー状態に関連付けられた開状態との間で旋回するように備えられることが可能である。図２ｈは、光源が開状態であるときに展開されるように備えられている、反射性内側シャッタ又はフラップ２２８ａ、２２８ｂと、反射性外側シャッタ又はフラップ２３０ａ、２３０ｂとにより構成された閉状態のコリメータを示している。図２ｉは開状態コリメータを示している。
【００６３】
図２ｊは、第１カバー状態にある機械式シャッタ２２８ａ、２２８ｂ、２３０ａ、２３０ａを有する照明装置２００ｈ及び２００ｉに類似する照明装置２００ｊの平面図である。
【００６４】
図２ｋは、矢印２３２ａ及び２３２ｂで示されている第２カバー状態にある機械式シャッタ２２８ａ、２２８ｂ、２３０ａ、２３０ａを有し、それにより、発光要素２３４を可視的にした照明装置２００ｈ、２００ｉに類似する照明装置２００ｋの平面図である。
【００６５】
個別のカバー要素及び／又は共通カバー要素は、第１光状態から第２光状態に切り換える発光要素を表すパラメータを検出するように備えられた検出器を有することが可能である。検出器は光センサを有することが可能である。従って、図２ａ乃至２ｋの照明装置２００ａ乃至２００ｋのような照明装置は光センサを有することが可能である。図３ａは、図２ａ乃至２ｋの照明装置２ａ乃至２ｋに類似する照明装置３００ａを示している。照明装置３００ａは１つ又はそれ以上の照明要素３０２及びカバー要素３０４を有する。照明装置３００ａは、参照番号３０６で模式的に示されている光センサを更に有する。光センサ３０６は、照明要素３０２により発せられた光束を検出するように備えられることが可能である。光センサ３０６は、カバー要素３０４に動作可能であるように接続されることが可能である。光束等のパラメータに依存して、光センサは、第１カバー状態から第２カバー状態に切り換えるようにカバー要素に指示を送信するように備えられることが可能である。代替として、光センサは、第１光状態と第２光状態との間で切り換えられる照明要素に関係する指示をカバー要素に送信するように備えられることが可能である。従って、カバー要素の切り換えは、光源から発せられる光束によりもたらされることが可能である。光センサは、ここでは、光を検出することが可能であるセンサとして、広く解釈されるものである。従って、光センサは、当該技術分野で知られているので、それについて本明細書では更に詳細に説明しない。
【００６６】
図２ａ乃至２ｉの照明装置２００ａ乃至２００ｉのような照明装置はヒートシンクを有することが可能である。図３ｂは、図２ａ乃至２ｉ及び図３ａの照明装置２００ａ乃至２００ｉ及び３００ａに類似する照明装置３００ｂを示している。照明装置３００ｂは１つ又はそれ以上の発光要素３０２及びカバー要素３０４を有する。照明装置３００ｂは、参照番号３１０ａで模式的に示されているヒートシンクを更に有する。検出器により検出されるパラメータは、従って、ヒートシンクの温度変化に関連することが可能である。検出器は、接続３０８により模式的に示されているように、ヒートシンクに動作可能に接続されることが可能である。検出器は、ヒートシンクと熱的に接していることにより、ヒートシンクの加熱を検出することが可能である。従って、カバー要素についての状態の変化が自動的にもたらされることのために、光源がオフに切り換えられるとき、カバー要素が加熱されるように、カバー要素とヒートシンクとの間に接続が存在する。検出器及びカバー要素は一体化されることが可能である。カバー要素は、カバー要素が状態を変えるために、ヒートシンクとの接触を介して更に加熱されることが可能である。カバー要素は、温度により形状を変えるバイメタルにより状態を変えることが可能である。
【００６７】
光ビーム方向及び光ビームコリメーションと同様に、光ビームの色及び／又は偏光も、パラメータに依存して切り換えられる要素により変えられることが可能である。例えば、切り換え可能ディフューザを有するカバー要素は蛍光体粒子と混合されることが可能である。蛍光体による色変換は、その場合、カバー要素の拡散性（従って、蛍光体層内部の光路長）を変えることにより調整されることが可能である。
【００６８】
この効果は、図２ｂを参照して上記した色素と混合された切り換え可能ディフューザに基づく切り換え可能シャッタに類似している。蛍光体による可変色変換は、発光要素の温度に関連付けられることが可能である。色は、温度に伴う発光要素の色点変動を補償する及び／又は減少させるように、可変である。
【００６９】
カバー要素は、サーモクロミックリフレクタ又はフォトクロミックリフレクタを有することが可能である。光ビームは、従って、サーモクロミックリフレクタ又はフォトクロミックリフレクタにより反射されることが可能である。発光要素の照射又は熱によりもたらされる場合、リフレクタの色は変化し得る。従って、反射された光ビームの色も変化し得る。また、機械的に移動可能なシャッタを有するカバー要素は色及び／偏光を変えるように用いられることが可能である。シャッタは、不透明又は反射性ではないが、（一部が）透過性である。カバー要素は特に、（反射性）カラーフィルタ、蛍光体層、（反射性）偏光子又はそれらの何れかの組み合わせの群からの少なくとも１つを有する。カバー要素の切り換えは、従って、光の色及び／又は偏光を変えるようにも用いられることが可能である。
【００７０】
図４ａは、上記の照明装置のような照明装置における方法についてのフローチャートである。照明装置は、光路に沿って可視光ビームを発するように備えられた上記の発光装置のような発光要素と、光路内に備えられた上記のカバー要素のようなカバー要素とを有する。発光要素は第１光状態と第２光状態との間で切り換え可能であり、発光要素は、第１光状態において第１強度にある可視光ビームを発し、第２光状態において第２強度にある可視光ビームを発するように備えられることが可能である。カバー要素は、第１カバー状態と第２カバー状態との間で切り換え可能である。
【００７１】
その方法は、第１光状態から第２光状態に発光要素を切り換えるステップ（ステップ４０２）を有する。発光要素は、第１光状態から第２光状態に自動的に又は手動で切り換えられるように備えられることが可能である。発光要素は、特にセンサに動作可能に接続された外部の制御信号から光制御信号を受けるときに、自動的に切り換えられるように備えられることが可能である。
【００７２】
第２光状態に切り換えられるとき、発光要素は、第２強度にある可視光ビームを発するように備えられることが可能である。従って、その方法は、発光要素により第２強度にある可視光ビームを発するステップ（ステップ４０４）を更に有する。
【００７３】
発光要素が第２光状態に切り換えられたとき、カバー要素は、少なくともその光ビームの一部が通ることを可能にする必要がある。カバー要素は、従って、第１光状態と第２光状態との間で切り換わる発光要素と関連付けられたパラメータを検出するように備えられることが可能である。カバー要素は光路に少なくとも一部が配置される。その方法は、故に、カバー要素の検出器によりパラメータを検出するステップ（ステップ４０６）を更に有する。そのパラメータは、第１光状態から第２光状態に切り換わる発光要素を表す。
【００７４】
光のパラメータが検出されたとき、カバー要素は、第１カバー状態から第２カバー状態に自動的に切り換わる。即ち、カバー要素は、閉状態から開状態に切り換わることが可能である。その方法は、故に、検出された光のパラメータに応答して第１カバー状態から第２カバー状態にカバー要素を切り換えるステップ（ステップ４０８）を更に有する。
【００７５】
発光要素はヒートシンクを有することが可能である。従って、その方法は、発光要素のヒートシンクからパラメータを検出するステップ（ステップ４１０）を更に有することが可能である。ヒートシンクは、第１光状態から第２光状態に切り換えられる発光要素の結果として、温度を高くすることが可能である。そのパラメータは、従って、ヒートシンクの温度変化に関するものである。
【００７６】
発光要素は光センサを有することが可能である。従って、その方法は、発光要素により発せられた光からの光のパラメータを検出するステップ（ステップ４１２）を更に有することが可能である。発せられた可視光ビームは光束に関連付けられる。光のパラメータは、従って、発せられた可視光ビームの光束の変化に関するものである。
【００７７】
図４ｂは、上記の照明装置のような照明装置における方法についてのフローチャートである。その照明装置は、光路に沿って可視光ビームを発するように備えられた、上記の発光装置のような発光要素と、光路内に備えられた上記のカバー要素のようなカバー要素とを有する。
【００７８】
その方法は、第２光状態から第１光状態に発光要素を切り換えるステップ（ステップ４５０）を有する。発光要素は、第２光状態から第１光状態に自動的に又は手動で切り換えられるように備えられることが可能である。発光要素は、特にセンサに動作可能に接続された外部の制御信号から光制御信号を受けるときに自動的に切り換えられるように備えられることが可能である。
【００７９】
発光要素が第１光状態に切り換えられたとき、カバー要素は発光要素を覆う必要がある。カバー要素は、従って、第１光状態と第２光状態との間で切り換わる発光要素と関連付けられたパラメータを検出するように備えられた検出器に動作可能に接続されることが可能である。その方法は、カバー要素の検出器によりパラメータを検出するステップ（ステップ４５２）を更に有する。そのパラメータは、第２光状態から第１光状態に切り換わる発光要素を表す。
【００８０】
光の検出器が検出されたときに、カバー要素は、第２カバー状態から第１カバー状態に自動的に切り換わる。従って、その方法は、検出されたパラメータに応答して第２カバー状態から第１カバー状態にカバー要素を切り換えるステップ（ステップ４５４）を更に有する。
【００８１】
発光要素はヒートシンクを有することが可能である。従って、その方法は、発光要素のヒートシンクからパラメータを検出するステップ（ステップ４５６）を更に有する。ヒートシンクは、第２光状態から第１光状態に切り換えられた発光要素の結果として、温度を低下することが可能である。光のパラメータは、従って、ヒートシンクの温度変化に関するものである。
【００８２】
発光要素は光センサを有することが可能である。従って、その方法は、発光要素により発せられた光からの光のパラメータを検出するステップ（ステップ４５８）を更に有することが可能である。発せられた可視光ビームは光束に関連付けられる。発光要素は第２光状態から第１光状態に切り換えられるため、関連付けられた可視光ビームも、第２強度から第１強度に発せられる光ビームを切り換えられる。そのパラメータは、従って、発せられた可視光ビームの光束の変化に関するものである。
【００８３】
本発明については、上で複数の実施形態を参照して詳述している。しかしながら、上記の実施形態以外の実施形態が、同時提出の特許請求の範囲に記載された本発明の範囲内で、同様に可能であることを、当業者は容易に理解することができる。
【図１ａ】
2012509563.tif 000003
【図１ｂ】
2012509563.tif 000004
【図１ｃ】
2012509563.tif 000005
【図１ｄ】
2012509563.tif 000006
【図１ｅ】
2012509563.tif 000007
【図１ｆ】
2012509563.tif 000008
【図２ａ】
2012509563.tif 000009
【図２ｂ】
2012509563.tif 000010
【図２ｃ】
2012509563.tif 000011
【図２ｄ】
2012509563.tif 000012
【図２ｅ】
2012509563.tif 000013
【図２ｆ】
2012509563.tif 000014
【図２ｇ】
2012509563.tif 000015
【図２ｈ】
2012509563.tif 000016
【図２ｉ】
2012509563.tif 000017
【図２ｊ】
2012509563.tif 000018
【図２ｋ】
2012509563.tif 000019
【図３ａ】
2012509563.tif 000020
【図３ｂ】
2012509563.tif 000021
【図４ａ】
2012509563.tif 000022
【図４ｂ】
2012509563.tif 000023
【手続補正書】
【提出日】平成23年5月24日(2011.5.24)
【手続補正１】
【補正対象書類名】特許請求の範囲
【補正対象項目名】全文
【補正方法】変更
【補正の内容】
【特許請求の範囲】
【請求項１】
光路に沿って可視光ビームを発する発光ダイオードであって、該発光ダイオードは第１光状態と第２光状態との間で切り換え可能であり、前記発光ダイオードは、前記第１光状態において第１強度にある前記可視光ビームを発し、そして前記第２光状態において第２強度にある前記可視光ビームを発するように備えられ、前記第２強度は前記第１強度より高い、発光ダイオード、及び
前記光路内に少なくとも一部が備えられたカバー要素であって、該カバー要素は第１カバー状態と第２カバー状態との間で切り換え可能である、カバー要素、
を有する照明装置であって、
前記カバー要素は、前記ヒートシンクに動作可能に接続され、それにより、前記第２光状態にある前記発光ダイオードを表すパラメータを検出するように備えられた検出器を有し、前記パラメータは前記ヒートシンクの温度変化に関し、前記カバー要素は、前記パラメータを検出する前記検出器に応答して前記第１カバー状態から前記第２カバー状態に切り換わるように備えられている、
照明装置。
【請求項２】
前記パラメータは、前記発光ダイオードにより発せられた光束に関し、
前記検出器は、前記光束を検出するように備えられた光センサを有する、
請求項１に記載の照明装置。
【請求項３】
前記検出器は前記カバー要素と一体化されている、
請求項１に記載の照明装置。
【請求項４】
前記発光ダイオードは発光ダイオードパッケージを有し、
前記カバー要素は前記発光ダイオードパッケージに取り付けられている、
請求項１乃至３の何れか一項に記載の照明装置。
【請求項５】
前記第２強度は前記第１強度に比べて少なくとも一桁大きさが大きい、
請求項１乃至４の何れか一項に記載の照明装置。
【請求項６】
前記カバー要素は前記発せられた可視光ビームをコリメートするように備えられている、
請求項１乃至５の何れか一項に記載の照明装置。
【請求項７】
前記カバー要素は、前記第１カバー状態から前記第２カバー状態に前記カバー要素を切り換えるように備えられた機械式要素を有し、
前記機械式要素は少なくとも１つのシャッタを有する、
請求項１乃至６の何れか一項に記載の照明装置。
【請求項８】
前記機械式要素はリフレクタを有し、前記リフレクタは、サーモクロミックリフレクタ及びフォトクロミックリフレクタの一であり、
前記リフレクタは、前記発せられた光ビームが前記リフレクタにより反射されるときに、前記発せられた光ビームの色及び偏光の少なくとも一を変えるように備えられている、
請求項７に記載の照明装置。
【請求項９】
前記カバー要素は、前記第１カバー状態から前記第２カバー状態に前記カバー要素を切り換えるように備えられた光学要素を有する、
請求項１乃至８の何れか一項に記載の照明装置。
【請求項１０】
前記光学要素は、前記発せられた可視光ビームをコリメートするように備えられたレンズを構成するように更に備えられている、
請求項９に記載の照明装置。
【請求項１１】
前記光学要素は蛍光体粒子を有し、
前記蛍光体粒子は、前記発せられた光ビームが前記光学要素を通るときに、前記発せられた光ビームの色及び偏光の少なくとも一を変えるように備えられている、
請求項９又は１０に記載の照明装置。
【請求項１２】
照明装置における方法であって、前記照明装置は、
ヒートシンクを有し、光路に沿って可視光ビームを発する発光ダイオードであって、該発光ダイオードは第１光状態と第２光状態との間で切り換え可能であり、前記発光ダイオードは、前記第１光状態において第１強度にある前記可視光ビームを発し、そして前記第２光状態において第２強度にある前記可視光ビームを発するように備えられ、前記第２強度は前記第１強度より高い、発光ダイオードと、
前記光路内に少なくとも一部が備えられたカバー要素であって、該カバー要素は第１カバー状態と第２カバー状態との間で切り換え可能である、カバー要素と、
を有する、方法であり、
前記第１光状態から前記第２光状態に前記発光ダイオードを切り換える段階と、
前記第２強度で前記発光ダイオードにより前記可視光ビームを発する段階と、
前記カバー要素の検出器によりパラメータを前記ヒートシンクから検出する段階であって、前記パラメータは、前記第２光状態にある前記発光ダイオードを表し、前記パラメータは前記ヒートシンクの温度変化に関する、段階と、
前記検出されたパラメータに応答して前記第１カバー状態から前記第２カバー状態に前記カバー要素を切り換える段階と、
を有する方法。
【請求項１３】
請求項１乃至１１の何れか一項に記載の照明装置を有する照明器具。
【手続補正２】
【補正対象書類名】明細書
【補正対象項目名】０００４
【補正方法】変更
【補正の内容】
【０００４】
米国特許第４，５１３，３５８号明細書は、ライトバルブの抵抗加熱又は直接的な加熱に依存してシャッタが切り換えられる切り換え可能なシャッタを有する光システムについて開示している。そのシステムは、ライトバルブの形式の発光要素と、ルーバの形式のカバーとを有する。ルーバは、ランプが起動されたときに、ライトバルブの抵抗加熱又は直接的な加熱により加熱されるアクチュエータにより制御される。加熱時に、アクチュエータは、開状態の位置にルーバを旋回する役割を果たす。一旦、ランプが動作停止にされると、アクチュエータの加熱は終了され、ルーバは、アクチュエータが冷えるにつれて、スプリングによりレンズを保護するように、自動的に閉じられる。米国特許第４，５１３，３５８号明細書は、このようにして、アクチュエータのスイッチのルーバを閉状態から開状態にするように、赤外線加熱を用いる光システムを開示している。
欧州特許第１７６２７７５Ａ号明細書は、ＬＥＤ、ブレード及びヒートシンクを有する照明装置について開示している。ヒートシンクは照明装置から熱を輸送するように備えられている。ブレードの旋回位置はケーブルにより変えられる。ケーブルは制御ユニットに結合され、制御ユニットにより制御される。
ベルギー特許第１０１３６７３Ａ６号明細書は、受け入れられるようになっているライトバルブから発せられた光に関連付けられ、ライトバルブの前に位置しているスクリーンを移動させるように運動エネルギーに変換される輻射熱について開示している。
特開平０６−０４４８１１号公報は、光源がオフである間に色を付け、オンである間に色付けしない裏面のフォトクロミック化合物の色付けをカバーが備えた光源の形で位置ス付けられたカバーについて開示している。
【手続補正３】
【補正対象書類名】明細書
【補正対象項目名】０００７
【補正方法】変更
【補正の内容】
【０００７】
【特許文献１】米国特許第４，５１３，３５８号明細書
【特許文献２】欧州特許第１７６２７７５Ａ号明細書
【特許文献３】ベルギー特許第１０１３６７３Ａ６号明細書
【特許文献４】特開平０６−０４４８１１号公報
【国際調査報告】
2012509563.tif 000024
2012509563.tif 000025
2012509563.tif 000026